(57)【要約】【課題】撮影した写真に任意の情報を付与する。【解決手段】フィルム筐体２０に、非接触状態にて情報の書き込み及び読み出しが可能なＩＣモジュール１０を組み込み、また、カメラ３０の筐体を構成する１つの面に、フィルム筐体２０が内部に設置された場合にＩＣモジュール１０と電気的に接続されるコイル状のアンテナ３１を設け、フィルム筐体２０に格納された写真用フィルムに被写体が転写される際に、ＩＣモジュール１０に対して非接触状態にて情報の書き込み及び読み出しが可能なリーダ／ライタ５０において、カメラ３０の外部からＩＣモジュール１０に対してアンテナ３１を介して非接触状態にて情報の書き込みを行う。【選択図】　図１
2004093839.tif 000002
【特許請求の範囲】
【請求項１】
写真用フィルムが格納されたフィルム筐体が内部に設置された状態にて撮影を行う撮影装置であって、
前記フィルム筐体には、非接触状態にて情報の書き込み及び読み出しが可能なＩＣモジュールが組み込まれ、
当該撮影装置の筐体を構成する１つの面に、前記フィルム筐体が内部に設置された場合に前記ＩＣモジュールと電気的に接続されるコイル状のアンテナが設けられていることを特徴とする撮影装置。
【請求項２】
写真用フィルムが格納されたフィルム筐体が内部に設置された状態にて撮影を行う撮影装置であって、
前記フィルム筐体には、情報の書き込み及び読み出しが可能な記憶素子が組み込まれ、
当該撮影装置の筐体を構成する１つの面に設けられ、外部と通信を行うためのアンテナと、
前記アンテナと接続されるとともに、前記フィルム筐体が内部に設置された場合に前記記憶素子と電気的に接続可能に構成され、前記アンテナを介しての外部との通信に従って前記記憶素子に対して情報の書き込みあるいは読み出しを行う制御手段とを有することを特徴とする撮影装置。
【請求項３】
請求項２に記載の撮影装置において、
前記制御手段に接続され、当該撮影装置の状態を記憶している記憶手段を有し、
前記制御手段は、前記記憶手段に記憶されている情報を前記記憶素子に書き込むことを特徴とする撮影装置。
【請求項４】
写真用フィルムが格納されたフィルム筐体が内部に設置された状態にて撮影を行う撮影装置であって、
前記フィルム筐体には、非接触状態にて情報の書き込み及び読み出しが可能なＲＦ−ＩＤメディアが組み込まれ、
当該撮影装置の筐体を構成する１つの面に設けられ、外部と通信を行うための第１のアンテナと、
前記フィルム筐体が内部に設置された場合に前記ＲＦ−ＩＤメディアと対向するように設けられ、前記ＲＦ−ＩＤメディアと通信を行うためのコイル状の第２のアンテナと、
前記第１及び第２のアンテナと接続され、前記第１のアンテナを介しての外部との通信に従って、前記第２のアンテナを介して前記ＲＦ−ＩＤメディアに対して情報の書き込みあるいは読み出しを非接触状態にて行う制御手段とを有することを特徴とする撮影装置。
【請求項５】
請求項４に記載の撮影装置において、
前記制御手段に接続され、当該撮影装置の状態を記憶している記憶手段を有し、
前記制御手段は、前記記憶手段に記憶されている情報を前記第２のアンテナを介して前記ＲＦ−ＩＤメディアに書き込むことを特徴とする撮影装置。
【請求項６】
請求項１に記載の撮影装置を用いた撮影システムであって、
前記撮影装置の外部から前記ＩＣモジュールに対して前記アンテナを介して非接触状態にて情報の書き込み及び読み出しを行う端末を有することを特徴とする撮影システム。
【請求項７】
請求項６に記載の撮影システムにおいて、
前記端末は、
情報の入力が可能な携帯端末と、
前記携帯端末に接続され、該携帯端末に入力された情報を非接触状態にて前記ＩＣモジュールに書き込む情報書込／読出手段とを有することを特徴とする撮影システム。
【請求項８】
請求項６に記載の撮影システムにおいて、
前記端末は、所定の場所に設置され、予め記憶された情報を前記ＩＣモジュールに対して非接触状態にて書き込むことを特徴とする撮影システム。
【請求項９】
請求項２または請求項３に記載の撮影装置を用いた撮影システムであって、
前記撮影装置の外部から前記記憶素子に書き込まれる情報を前記制御手段に対して前記アンテナを介して与える端末を有することを特徴とする撮影システム。
【請求項１０】
請求項９に記載の撮影システムにおいて、
前記端末は、
情報の入力が可能な携帯端末と、
前記携帯端末に接続され、該携帯端末に入力された情報を前記アンテナを介して前記制御手段に与える情報書込／読出手段とを有することを特徴とする撮影システム。
【請求項１１】
請求項９に記載の撮影システムにおいて、
前記端末は、所定の場所に設置され、予め記憶された情報を前記制御手段に対して前記アンテナを介して与えることを特徴とする撮影システム。
【請求項１２】
請求項４または請求項５に記載の撮影装置を用いた撮影システムであって、
前記撮影装置の外部から前記ＲＦ−ＩＤメディアに書き込まれる情報を前記制御手段に対して前記第１のアンテナを介して与える端末を有することを特徴とする撮影システム。
【請求項１３】
請求項１２に記載の撮影システムにおいて、
前記端末は、
情報の入力が可能な携帯端末と、
前記携帯端末に接続され、該携帯端末に入力された情報を前記第１のアンテナを介して前記制御手段に与える情報書込／読出手段とを有することを特徴とする撮影システム。
【請求項１４】
請求項１２に記載の撮影システムにおいて、
前記端末は、所定の場所に設置され、予め記憶された情報を前記制御手段に対して前記第１のアンテナを介して与えることを特徴とする撮影システム。
【発明の詳細な説明】
【０００１】
【発明の属する技術分野】
本発明は、内部に格納された写真用フィルムに被写体を転写する撮影装置及びこれを用いた撮影システムに関し、特に、現像される写真に情報を付与する撮影装置及びこれを用いた撮影システムに関する。
【０００２】
【従来の技術】
近年、銀塩写真に情報を書き込むものとして、例えば、被写体が転写される感光層の上部に磁気テープ層が形成されたＡＰＳフィルムが用いられている。
【０００３】
ＡＰＳフィルムにおいては、写真撮影時に、撮影日やフラッシュの有無の情報、撮影時の倍率の情報、あるいはカメラ本体に予め登録されているコメント等がカメラ本体側から書き込まれ、フィルム現像時にこれらの情報が印画紙裏面に印刷される。
【０００４】
【発明が解決しようとする課題】
しかしながら、上述したようなＡＰＳフィルムのような従来の情報の書き込み可能なフィルムにおいては、撮影日やフラッシュの有無の情報、撮影時の倍率の情報、あるいはカメラ本体に予め登録されているコメント等のカメラ本体にて決められた情報しか書き込むことができないため、撮影場所に関する情報や被写体の説明等といった、任意の情報を書き込むことができないという問題点がある。
【０００５】
本発明は、上述したような従来の技術が有する問題点に鑑みてなされたものであって、撮影した写真に任意の情報を付与することができる撮影装置及びこれを用いた撮影システムを提供することを目的とする。
【０００６】
【課題を解決するための手段】
上記目的を達成するために本発明は、
写真用フィルムが格納されたフィルム筐体が内部に設置された状態にて撮影を行う撮影装置であって、
前記フィルム筐体には、非接触状態にて情報の書き込み及び読み出しが可能なＩＣモジュールが組み込まれ、
当該撮影装置の筐体を構成する１つの面に、前記フィルム筐体が内部に設置された場合に前記ＩＣモジュールと電気的に接続されるコイル状のアンテナが設けられていることを特徴とする。
【０００７】
また、写真用フィルムが格納されたフィルム筐体が内部に設置された状態にて撮影を行う撮影装置であって、
前記フィルム筐体には、情報の書き込み及び読み出しが可能な記憶素子が組み込まれ、
当該撮影装置の筐体を構成する１つの面に設けられ、外部と通信を行うためのアンテナと、
前記アンテナと接続されるとともに、前記フィルム筐体が内部に設置された場合に前記記憶素子と電気的に接続可能に構成され、前記アンテナを介しての外部との通信に従って前記記憶素子に対して情報の書き込みあるいは読み出しを行う制御手段とを有することを特徴とする。
【０００８】
また、前記制御手段に接続され、当該撮影装置の状態を記憶している記憶手段を有し、
前記制御手段は、前記記憶手段に記憶されている情報を前記記憶素子に書き込むことを特徴とする。
【０００９】
また、写真用フィルムが格納されたフィルム筐体が内部に設置された状態にて撮影を行う撮影装置であって、
前記フィルム筐体には、非接触状態にて情報の書き込み及び読み出しが可能なＲＦ−ＩＤメディアが組み込まれ、
当該撮影装置の筐体を構成する１つの面に設けられ、外部と通信を行うための第１のアンテナと、
前記フィルム筐体が内部に設置された場合に前記ＲＦ−ＩＤメディアと対向するように設けられ、前記ＲＦ−ＩＤメディアと通信を行うためのコイル状の第２のアンテナと、
前記第１及び第２のアンテナと接続され、前記第１のアンテナを介しての外部との通信に従って、前記第２のアンテナを介して前記ＲＦ−ＩＤメディアに対して情報の書き込みあるいは読み出しを非接触状態にて行う制御手段とを有することを特徴とする。
【００１０】
また、前記制御手段に接続され、当該撮影装置の状態を記憶している記憶手段を有し、
前記制御手段は、前記記憶手段に記憶されている情報を前記第２のアンテナを介して前記ＲＦ−ＩＤメディアに書き込むことを特徴とする。
【００１１】
また、前記撮影装置を用いた撮影システムであって、
前記撮影装置の外部から前記ＩＣモジュールに対して前記アンテナを介して非接触状態にて情報の書き込み及び読み出しを行う端末を有することを特徴とする。
【００１２】
また、前記端末は、
情報の入力が可能な携帯端末と、
前記携帯端末に接続され、該携帯端末に入力された情報を非接触状態にて前記ＩＣモジュールに書き込む情報書込／読出手段とを有することを特徴とする。
【００１３】
また、前記端末は、所定の場所に設置され、予め記憶された情報を前記ＩＣモジュールに対して非接触状態にて書き込むことを特徴とする。
【００１４】
また、前記撮影装置を用いた撮影システムであって、
前記撮影装置の外部から前記記憶素子に書き込まれる情報を前記制御手段に対して前記アンテナを介して与える端末を有することを特徴とする。
【００１５】
また、前記端末は、
情報の入力が可能な携帯端末と、
前記携帯端末に接続され、該携帯端末に入力された情報を前記アンテナを介して前記制御手段に与える情報書込／読出手段とを有することを特徴とする。
【００１６】
また、前記端末は、所定の場所に設置され、予め記憶された情報を前記制御手段に対して前記アンテナを介して与えることを特徴とする。
【００１７】
また、前記撮影装置を用いた撮影システムであって、
前記撮影装置の外部から前記ＲＦ−ＩＤメディアに書き込まれる情報を前記制御手段に対して前記第１のアンテナを介して与える端末を有することを特徴とする。
【００１８】
また、前記端末は、
情報の入力が可能な携帯端末と、
前記携帯端末に接続され、該携帯端末に入力された情報を前記第１のアンテナを介して前記制御手段に与える情報書込／読出手段とを有することを特徴とする。
【００１９】
また、前記端末は、所定の場所に設置され、予め記憶された情報を前記制御手段に対して前記第１のアンテナを介して与えることを特徴とする。
【００２０】
（作用）
上記のように構成された本発明においては、非接触状態にて情報の書き込み及び読み出しが可能なＩＣモジュールが組み込まれたフィルム筐体を撮影装置の内部に設置して撮影を行う場合、フィルム筐体を撮影装置の内部に設置すると、撮影装置の筐体を構成する１つの面に設けられたコイル状のアンテナとＩＣモジュールとが電気的に接続される。この状態において、ＩＣモジュールに対して非接触状態にて情報の書き込み及び読み出しが可能な端末に対して所定の操作を行うと、所望の情報がアンテナを介してＩＣモジュールに書き込まれることになる。
【００２１】
また、情報の書き込み及び読み出しが可能な記憶素子が組み込まれたフィルム筐体を撮影装置の内部に設置して撮影を行う場合は、フィルム筐体を撮影装置の内部に設置すると、撮影装置の筐体を構成する１つの面に設けられたコイル状のアンテナに接続された制御手段と記憶素子とが電気的に接続される。この状態において、非接触状態にて情報の書き込み及び読み出しが可能な端末に対して所定の操作を行うと、所望の情報がアンテナを介して制御手段に与えられ、この情報が制御手段から記憶素子に書き込まれることになる。
【００２２】
また、非接触状態にて情報の書き込み及び読み出しが可能なＲＦ−ＩＤメディアが組み込まれたフィルム筐体を撮影装置の内部に設置して撮影を行う場合は、フィルム筐体を撮影装置の内部に設置すると、撮影装置に設けられた制御手段に接続された第２のアンテナとＲＦ−ＩＤメディアとが対向するようになる。この状態において、非接触状態にて情報の書き込み及び読み出しが可能な端末に対して所定の操作を行うと、所望の情報が、制御手段に接続された第１のアンテナを介して制御手段に与えられ、この情報が制御手段から第２のアンテナを介してＲＦ−ＩＤメディアに書き込まれることになる。
【００２３】
このように、被写体が転写される写真用フィルムが格納されたフィルム筐体に所望の情報を記録することが可能となるので、撮影した写真に所望の情報を付与することができる。
【００２４】
【発明の実施の形態】
以下に、本発明の実施の形態について図面を参照して説明する。
【００２５】
（第１の実施の形態）
図１は、本発明の撮影装置及びこれを用いた撮影システムの第１の実施の形態を示す図である。
【００２６】
本形態は図１に示すように、筐体を構成する面のうち１つの面にコイル状の導電性を有するアンテナ３１が形成され、風景や人物などの被写体が転写されるフィルム（不図示）が格納されたフィルム筐体２０が内部に設置された状態で被写体を撮影するための撮影装置であるカメラ３０と、フィルム筐体２０に組み込まれたインターポーザー１１に搭載されたＩＣモジュール１０に対する情報の書き込み及び読み出しを非接触状態にて行うためのリーダ／ライタ５０と、リーダ／ライタ５０に接続され、リーダ／ライタ５０にてＩＣモジュール１０から読み出された情報を表示するとともに、ＩＣモジュール１０に対して書き込む情報を入力するための携帯電話機等の携帯端末４０とから構成されており、インターポーザー１１とアンテナ３１とは、フィルム筐体２０がカメラ３０の内部に設置された場合に接点３２を介して電気的に接続される。
【００２７】
図２は、図１に示したアンテナ３１の構造及びアンテナ３１とインターポーザー１１との関係を説明するための図である。
【００２８】
本形態におけるアンテナ３１は図２に示すように、カメラ３０の筐体を構成する面のうち１つの面に形成されており、コイル状の両端には接点３２が設けられている。フィルム筐体２０をカメラ３０の内部に設置すると、インターポーザー１１とアンテナ３１とが接点３２を介して電気的に接続されることになり、それにより、リーダ／ライタ５０からの電磁誘導によりアンテナ３１に電流が流れ、その電流がＩＣモジュール１０に供給され、ＩＣモジュール１０に対する情報の書き込みあるいは読み出しが行われる。なお、カメラ３０の筐体が金属からなる場合は、図１に示すように、アンテナ３１はカメラ３０の筐体の外部に形成する必要があり、その場合、アンテナ３１は、接点３２を介してカメラ３０の筐体内部と導通することになる。
【００２９】
以下に、上記のように構成された撮影システムにおけるＩＣモジュール１０に対する情報の書き込み方法及び情報の読み出し方法について説明する。
【００３０】
まず、ＩＣモジュール１０に対する情報の書き込み方法について説明する。
【００３１】
図３は、図１に示した撮影システムにおけるＩＣモジュール１０に対する情報の書き込み方法を説明するためのフローチャートである。
【００３２】
カメラ３０を用いて被写体を撮影する場合は、まず、フィルム筐体２０をカメラ３０の内部に設置する（ステップＳ１）。すると、フィルム筐体２０に組み込まれたインターポーザー１１と、カメラ３０に形成されたアンテナ３１とが接点３２を介して電気的に接続される。
【００３３】
この状態において、カメラ３０のシャッター（不図示）を押下すると、レンズ（不図示）を介して写し出された被写体がフィルムに転写される（ステップＳ２）。
【００３４】
その後、ステップＳ２にて撮影した被写体についての情報を記録する場合、まず、携帯端末４０においてステップＳ２にて撮影したフィルムが何枚目のコマであるかを指定する（ステップＳ３）。なお、撮影したフィルムが何枚目のコマであるかは、カメラ３０に表示されているので、撮影者はその表示を見て何枚目のコマであるかを携帯端末４０に入力する。また、その際、カメラ３０に表示された情報は、次に撮影するフィルムのコマ数である場合がある。その場合は、ステップＳ３にて指定されたコマ数とステップＳ２にて撮影されたフィルムのコマ数とのマッチングは、カメラ３０内部にて行うことが考えられる。
【００３５】
次に、ステップＳ２にて撮影した被写体についての情報や撮影日時等の情報を携帯端末４０を介して入力する（ステップＳ４）。例えば、被写体が風景である場合は、その場所についての情報を入力したり、被写体が人物である場合は、その人物についての情報を入力したりすることが考えられる。また、集合写真等、多くの被写体からなる写真においては、被写体それぞれの情報や位置情報を入力することも考えられる。
【００３６】
次に、携帯端末４０に接続されたリーダ／ライタ５０をカメラ３０に近接させ、その状態で携帯端末４０に対して所定の操作を行うと、携帯端末４０に接続されたリーダ／ライタ５０からの電磁誘導によりアンテナ３１に電流が流れ、さらにアンテナ３１に流れた電流が接点３２を介してＩＣモジュール１０に供給され、それにより、ステップＳ３，Ｓ４にて携帯端末４０に入力された情報がＩＣモジュール１０に書き込まれる（ステップＳ５）。
【００３７】
次に、ＩＣモジュール１０に書き込まれた情報の読み出し方法について説明する。
【００３８】
フィルム筐体２０がカメラ３０の内部に設置されている状態で、ＩＣモジュール１０に書き込まれた情報を読み出す場合は、携帯端末４０に接続されたリーダ／ライタ５０をカメラ３０に近接させ、その状態で携帯端末４０に対して所定の操作を行うと、携帯端末４０に接続されたリーダ／ライタ５０からの電磁誘導によりアンテナ３１に電流が流れ、さらにアンテナ３１に流れた電流が接点３２を介してＩＣモジュール１０に供給され、それにより、リーダ／ライタ５０にてＩＣモジュール１０に書き込まれた情報が読み出され、読み出された情報が携帯端末４０の画面上に表示される。
【００３９】
なお、本形態においては、撮影者がカメラ３０の内部にフィルム筐体２０を設置する場合を例に挙げて説明したが、レンズ付きフィルムのように、フィルム筐体２０がカメラ３０に内蔵された状態で販売され、フィルム筐体２０がカメラ３０に内蔵された状態で現像に出されるものにおいても適用することができる。
【００４０】
その場合は、フィルム筐体２０に内蔵されたフィルムを現像する際に、リーダ／ライタ５０のような、ＩＣモジュール１０に書き込まれた情報を非接触状態にて読み出すことができる情報読出手段（不図示）を用いてアンテナ３１を介して情報を読み出し、読み出した情報を、情報読出手段に接続された印字手段にて、対応する写真の裏面に印刷することができる。
【００４１】
また、レンズ付きフィルムのようにカメラ３０の筐体がプラスチックから構成され、この筐体が紙ケースに収納されて構成されるものにおいては、銀ペーストのような導電性材料を紙ケースに印刷することによりアンテナ３１を形成することが考えられる。
【００４２】
また、一度ＩＣモジュール１０に書き込まれた情報を書き換えることもできる。
【００４３】
その場合は、ＩＣモジュール１０に情報が書き込まれた後、携帯端末４０にて所望の情報を入力し、リーダ／ライタ５０にてこの情報をＩＣモジュール１０に再度書き込むことになる。
【００４４】
（第２の実施の形態）
図４は、本発明の撮影装置及びこれを用いた撮影システムの第２の実施の形態を示す図である。
【００４５】
本形態は図４に示すように、筐体を構成する面のうち１つの面にコイル状の導電性を有するアンテナ１３１が形成され、風景や人物などの被写体が転写されるフィルム（不図示）が格納されたフィルム筐体１２０が内部に設置された状態で被写体を撮影するための撮影装置であるカメラ１３０と、フィルム筐体１２０に組み込まれた記憶素子であるメモリチップ１１０に対する情報の書き込み及び読み出しを非接触状態にて行うためのリーダ／ライタ１５０と、リーダ／ライタ１５０に接続され、リーダ／ライタ１５０にてメモリチップ１１０から読み出された情報を表示するとともに、メモリチップ１１０に対して書き込む情報を入力するための携帯電話機等の携帯端末１４０とから構成されている。また、カメラ１３０には、アンテナ１３１と接続され、リーダ／ライタ１５０によるメモリチップ１１０に対する情報の書き込み及び読み出しを制御する制御部１３３と、制御部１３３と接続され、カメラ１３０における撮影枚数等の情報が記録された記憶手段であるメモリ１３４とが設けられており、制御部１３３とメモリチップ１１０とは、フィルム筐体１２０がカメラ１３０の内部に設置された場合に接点１３２を介して電気的に接続される。
【００４６】
図５は、図４に示したアンテナ１３１の構造及び制御部１３３とメモリチップ１１０との関係を説明するための図である。
【００４７】
本形態におけるアンテナ１３１は図５に示すように、カメラ１３０の筐体を構成する面のうち１つの面に形成されており、コイル状の両端は制御部１３３に接続されている。フィルム筐体１２０をカメラ１３０の内部に設置すると、フィルム筐体１２０に組み込まれたメモリチップ１１０と制御部１３３とが接点１３２を介して電気的に接続される。この状態で、リーダ／ライタ１５０にてメモリチップ１１０に対する情報の書き込みあるいは読み出しを行うと、リーダ／ライタ１５０からの電磁誘導によりアンテナ１３１に電流が流れ、この電流が制御部１３３に供給され、それにより、メモリチップ１１０に対する情報の書き込み要求及びメモリチップ１１０に書き込まれる情報やメモリチップ１１０からの情報の読み出し要求が制御部１３３に与えられる。制御部１３３においては、メモリチップ１１０に対する情報の書き込み要求及びメモリチップ１１０に書き込まれる情報が与えられると、与えられた情報をメモリチップ１１０に書き込み、また、メモリチップ１１０からの情報の読み出し要求が与えられると、与えられた読み出し要求に従ってメモリチップ１１０から情報を読み出す。
【００４８】
以下に、上記のように構成された撮影システムにおけるメモリチップ１１０に対する情報の書き込み方法及び情報の読み出し方法について説明する。
【００４９】
まず、メモリチップ１１０に対する情報の書き込み方法について説明する。
【００５０】
図６は、図４に示した撮影システムにおけるメモリチップ１１０に対する情報の書き込み方法を説明するためのフローチャートである。
【００５１】
カメラ１３０を用いて被写体を撮影する場合は、まず、フィルム筐体１２０をカメラ１３０の内部に設置する（ステップＳ１１）。すると、フィルム筐体１２０に組み込まれたメモリチップ１１０と、カメラ１３０に設けられた制御部１３３とが接点１３２を介して電気的に接続される。
【００５２】
この状態において、カメラ１３０のシャッター（不図示）を押下すると、レンズ（不図示）を介して写し出された被写体がフィルムに転写される（ステップＳ１２）。
【００５３】
その後、ステップＳ１２にて撮影した被写体についての情報を記録する場合、ステップＳ１２にて撮影した被写体についての情報や撮影日時等の情報を携帯端末４０を介して入力する（ステップＳ１３）。例えば、被写体が風景である場合は、その場所についての情報を入力したり、被写体が人物である場合は、その人物についての情報を入力したりすることが考えられる。また、集合写真等、多くの被写体からなる写真においては、被写体それぞれの情報や位置情報を入力することも考えられる。
【００５４】
次に、携帯端末１４０に接続されたリーダ／ライタ１５０をカメラ１３０に近接させ、その状態で携帯端末１４０に対して所定の操作を行うと、携帯端末１４０に接続されたリーダ／ライタ１５０からの電磁誘導によりアンテナ１３１に電流が流れ、さらにアンテナ１３１に流れた電流が接点１３２を介して制御部１３３に供給され、それにより、メモリチップ１１０に対する情報の書き込み要求及びメモリチップ１１０に書き込まれる情報が制御部１３３に与えられる。
【００５５】
制御部１３３においては、リーダ／ライタ１５０から与えられた情報の書き込み要求に従って、情報が接点１３２を介してメモリチップ１１０に書き込まれる（ステップＳ１４）。なお、その際、カメラ１３０に内蔵されたメモリ１３４に記憶された撮影枚数に関する情報も制御部１３３における制御によってメモリチップ１１０に書き込まれる。これにより、ステップＳ１３にて入力された情報が、フィルムの何枚目のコマに対応するものであるかがメモリチップ１１０に書き込まれることになる。
【００５６】
次に、メモリチップ１１０に書き込まれた情報の読み出し方法について説明する。
【００５７】
フィルム筐体１２０がカメラ１３０の内部に設置されている状態で、メモリチップ１１０に書き込まれた情報を読み出す場合は、携帯端末１４０に接続されたリーダ／ライタ１５０をカメラ１３０に近接させ、その状態で携帯端末１４０に対して所定の操作を行うと、携帯端末１４０に接続されたリーダ／ライタ１５０からの電磁誘導によりアンテナ１３１に電流が流れ、さらにアンテナ１３１に流れた電流が接点１３２を介して制御部１３３に供給され、それにより、メモリチップ１１０に対する情報の読み出し要求が制御部１３３に与えられる。
【００５８】
制御部１３３においては、リーダ／ライタ１５０から与えられた情報の読み出し要求に従って、メモリチップ１１０から情報が読み出されることになる。
【００５９】
メモリチップ１１０から制御部１３３に読み出された情報は、アンテナ１３１を介してリーダ／ライタ１５０にて受信され、携帯端末１４０の画面上に表示される。
【００６０】
なお、本形態においては、撮影者がカメラ１３０の内部にフィルム筐体１２０を設置する場合を例に挙げて説明したが、レンズ付きフィルムのように、フィルム筐体１２０がカメラ１３０に内蔵された状態で販売され、フィルム筐体１２０がカメラ１３０に内蔵された状態で現像に出されるものにおいても適用することができる。
【００６１】
その場合は、フィルム筐体１２０に内蔵されたフィルムを現像する際に、リーダ／ライタ１５０のような、アンテナ１３１を介して制御部１３３と通信可能な情報読出手段（不図示）を用いて情報を読み出し、読み出した情報を、情報読出手段に接続された印字手段にて、対応する写真の裏面に印刷することができる。
【００６２】
また、レンズ付きフィルムのようにカメラ１３０の筐体がプラスチックから構成され、この筐体が紙ケースに収納されて構成されるものにおいては、銀ペーストのような導電性材料を紙ケースに印刷し、制御部１３３と接続する構造とすることによりアンテナ１３１を形成することが考えられる。
【００６３】
また、一度メモリチップ１１０に書き込まれた情報を書き換えることもできる。
【００６４】
その場合は、メモリチップ１１０に情報が書き込まれた後、携帯端末１４０にて所望の情報を入力し、リーダ／ライタ１５０にてこの情報を制御部１３３に送信し、制御部１３３にてメモリチップ１１０に再度書き込むことになる。
【００６５】
（第３の実施の形態）
図７は、本発明の撮影装置及びこれを用いた撮影システムの第３の実施の形態を示す図である。
【００６６】
本形態は図７に示すように、筐体を構成する面のうち１つの面にコイル状の導電性を有する第１のアンテナ２３１ａが形成され、風景や人物などの被写体が転写されるフィルム（不図示）が格納されたフィルム筐体２２０が内部に設置された状態で被写体を撮影するための撮影装置であるカメラ２３０と、所定の場所に設置され、設置場所に関する情報が予め記憶されており、この予め記憶された情報を、フィルム筐体２２０に貼付されたＩＣラベル２１０に書き込む情報書込端末２６０とから構成されている。また、カメラ２３０には、アンテナ２３１ａと接続され、情報書込端末２６０によるＩＣラベル２１０に対する情報の書き込みを制御する制御部２３３と、制御部２３３と接続され、カメラ２３０における撮影枚数等の情報が記録されたメモリ２３４と、制御部２３３と接続され、情報書込端末２６０による情報を制御部２３３における制御によって非接触状態にてＩＣラベル２１０に書き込むための第２のアンテナ２３１ｂとが設けられている。
【００６７】
図８は、図７に示したＩＣラベル２１０の構造を示す図である。
【００６８】
本形態におけるＩＣラベル２１０は図８に示すように、ベース基材２１１上に形成されたコイル状の導電性を有するアンテナ２１３と、アンテナ２１２と接続されてベース基材２１１上に搭載され、アンテナ２１３を介して制御部２３３と通信することにより非接触状態にて情報の書き込み及び読み出しが可能なＩＣモジュール２１２とから構成されており、制御部２３３に接続されたアンテナ２３１ａとの電磁誘導によりアンテナ２１３に電流が流れ、それによりＩＣモジュール２１２に対する情報の書き込みあるいは読み出しが行われる。また、ベース基材２１１の裏面には、接着層（不図示）が設けられている。
【００６９】
以下に、上記のように構成された撮影システムにおけるＩＣラベル２１０に対する情報の書き込み方法及び情報の読み出し方法について説明する。
【００７０】
まず、ＩＣラベル２１０に対する情報の書き込み方法について説明する。
【００７１】
図９は、図７に示した撮影システムにおけるＩＣラベル２１０に対する情報の書き込み方法を説明するためのフローチャートである。
【００７２】
カメラ２３０を用いて被写体を撮影する場合は、まず、フィルム筐体２２０をカメラ２３０の内部に設置する（ステップＳ２１）。すると、フィルム筐体２２０に貼付されたＩＣラベル２１０と、カメラ２３０に設けられたアンテナ２３１ｂとが対向するようになる。
【００７３】
この状態において、カメラ２３０のシャッター（不図示）を押下すると、レンズ（不図示）を介して写し出された被写体がフィルムに転写される（ステップＳ２２）。
【００７４】
その後、ステップＳ２２にて撮影した被写体についての情報を記録する場合、撮影場所に設置された情報書込端末２６０にカメラ２３０を近接させ、その状態で情報書込端末２６０に対して所定の操作を行うと、情報書込端末２６０に予め記憶された情報が、アンテナ２３１ａを介して制御部２３３に送信される。制御部２３３においては、情報書込端末２６０から送信されてきた情報が受信されると、受信された情報がアンテナ２３１ｂを介してＩＣラベル２１０に送信され、それにより、情報書込端末２６０に予め記憶された情報がＩＣラベル２１０に書き込まれる（ステップＳ２３）。ここで、情報書込端末２６０には、設置場所に関する情報が予め記憶されているため、情報書込端末２６０の設置場所に関する情報がＩＣラベル２１０に書き込まれる。また、その際、カメラ２３０に内蔵されたメモリ２３４に記憶された撮影枚数に関する情報も制御部２３３における制御によってＩＣラベル２１０に書き込まれる。これにより、情報書込端末２６０から送信されてきた情報が、フィルムの何枚目のコマに対応するものであるかがＩＣラベル２１０に書き込まれることになる。また、情報書込端末２６０においては、内部に設けられたタイマー機能にて時間が管理されており、情報の入力日時をＩＣラベル２１０に書き込むことも可能である。
【００７５】
次に、ＩＣラベル２１０に書き込まれた情報の読み出し方法について説明する。
【００７６】
フィルム筐体２２０がカメラ２３０に格納されている状態で、ＩＣラベル２１０に書き込まれた情報を読み出す場合は、携帯端末４０（図１参照）に接続されたリーダ／ライタ５０（図１参照）のような、ＩＣラベル２１０に書き込まれた情報を非接触状態にて読み出すことができる情報書込／読出手段をカメラ２３０に近接させ、その状態で情報書込／読出手段に対して所定の操作を行うと、情報書込／読出手段において、ＩＣラベル２１０に書き込まれた情報がアンテナ２３１ａ，２３１ｂ及び制御部２３３を介して読み出される。
【００７７】
また、フィルム筐体２２０をカメラ２３０から取り出した後に、ＩＣラベル２１０に書き込まれた情報を読み出す場合は、情報書込／読出手段をＩＣラベル２１０に近接させ、その状態で情報書込／読出手段に対して所定の操作を行うと、情報書込／読出手段において、ＩＣラベル２１０に書き込まれた情報が読み出される。これにより、撮影後のフィルムが単体で保管されている状態において、どのフィルムが何を撮影したものなのかわからなくなってしまうことがなくなる。
【００７８】
また、フィルム筐体２２０に格納されたフィルムを現像する際に、ＩＣラベル２１０に書き込まれた情報を印画紙裏面に印字する場合は、フィルムを現像する際に、ＩＣラベル２１０に書き込まれた情報を非接触状態にて読み出すことができる情報読出手段（不図示）を用いて情報をアンテナ２３１ａ，２３１ｂ及び制御部２３３を介して読み出し、読み出した情報を、情報読出手段に接続された印字手段にて、対応する写真の裏面に印刷する。
【００７９】
また、レンズ付きフィルムのようにカメラ２３０の筐体がプラスチックから構成され、この筐体が紙ケースに収納されて構成されるものにおいては、銀ペーストのような導電性材料を紙ケースに印刷し、制御部２３３と接続する構造とすることによりアンテナ２３１ａを形成することが考えられる。
【００８０】
また、一度ＩＣラベル２１０に書き込まれた情報を書き換えることもできる。
【００８１】
その場合は、ＩＣラベル２１０に情報が書き込まれた後、携帯端末４０（図１参照）やパーソナルコンピュータ等の情報処理装置にて所望の情報を入力し、情報書込／読出手段にてこの情報をＩＣラベル２１０に書き込むことになる。
【００８２】
また、本形態においては、ＩＣラベル２１０をフィルム筐体２２０に貼付しているが、ＩＣタグなどの非接触状態にて情報の書き込み及び読み出しが可能なＲＦ−ＩＤメディアをフィルム筐体２２０に組み込むことも考えられる。
【００８３】
なお、上述した３つの実施の形態にて示したカメラ３０，１３０，２３０と、携帯端末４０，１４０及びリーダ／ライタ５０，１５０と、情報書込端末２６０との組み合わせは任意に設定可能であることは言うまでもない。
【００８４】
【発明の効果】
以上説明したように本発明においては、写真用フィルムが格納されたフィルム筐体が内部に設置された状態にて撮影を行う撮影装置において、フィルム筐体には、非接触状態にて情報の書き込み及び読み出しが可能なＩＣモジュールが組み込まれ、また、当該撮影装置の筐体を構成する１つの面に、フィルム筐体が内部に設置された場合にＩＣモジュールと電気的に接続されるコイル状のアンテナが設けられているため、フィルム筐体に格納された写真用フィルムに被写体が転写される際に、ＩＣモジュールに対して非接触状態にて情報の書き込み及び読み出しが可能な端末において、撮影装置の外部からＩＣモジュールに対してアンテナを介して非接触状態にて情報の書き込みを行えば、被写体が転写される写真用フィルムが格納されたフィルム筐体に所望の情報を記録することができ、撮影した写真に所望の情報を付与することができる。
【００８５】
また、フィルム筐体に、情報の書き込み及び読み出しが可能な記憶素子が組み込まれ、また、当該撮影装置の筐体を構成する１つの面に設けられ、外部と通信を行うためのアンテナと、アンテナと接続されるとともに、フィルム筐体が内部に設置された場合に記憶素子と電気的に接続可能に構成され、アンテナを介しての外部との通信に従って記憶素子に対して情報の書き込みあるいは読み出しを行う制御手段とを設けたものにおいては、フィルム筐体に格納された写真用フィルムに被写体が転写される際に、非接触状態にて情報の書き込み及び読み出しが可能な端末において、撮影装置の外部から制御手段に対して記憶素子に書き込むべき情報をアンテナを介して与えれば、制御手段に与えられた情報が記憶素子に書き込まれることになり、被写体が転写される写真用フィルムが格納されたフィルム筐体に所望の情報を記録することができ、撮影した写真に所望の情報を付与することができる。
【００８６】
また、フィルム筐体に、非接触状態にて情報の書き込み及び読み出しが可能なＲＦ−ＩＤメディアが組み込まれ、また、当該撮影装置の筐体を構成する１つの面に設けられ、外部と通信を行うための第１のアンテナと、フィルム筐体が内部に設置された場合にＲＦ−ＩＤメディアと対向するように設けられ、ＲＦ−ＩＤメディアと通信を行うためのコイル状の第２のアンテナと、第１及び第２のアンテナと接続され、第１のアンテナを介しての外部との通信に従って、第２のアンテナを介してＲＦ−ＩＤメディアに対して情報の書き込みあるいは読み出しを非接触状態にて行う制御手段とを設けたものにおいては、フィルム筐体に格納された写真用フィルムに被写体が転写される際に、ＲＦ−ＩＤメディアに対して非接触状態にて情報の書き込み及び読み出しが可能な端末において、撮影装置の外部から制御手段に対して記憶素子に書き込むべき情報を第１のアンテナを介して与えれば、制御手段に与えられた情報が第２のアンテナを介して非接触状態にてＲＦ−ＩＤメディアに書き込まれることになり、被写体が転写される写真用フィルムが格納されたフィルム筐体に所望の情報を記録することができ、撮影した写真に所望の情報を付与することができる。
【００８７】
また、制御手段に接続され、当該撮影装置の状態を記憶している記憶手段を設け、制御手段において、記憶手段に記憶されている情報を記憶素子あるいはＩＣラベルに書き込むものにおいては、撮影装置にて撮影されたフィルムが何枚目のコマに対応するものであるかを、所望の情報とともに写真に付与することができる。
【図面の簡単な説明】
【図１】本発明の撮影装置及びこれを用いた撮影システムの第１の実施の形態を示す図である。
【図２】図１に示したアンテナの構造及びアンテナとインターポーザーとの関係を説明するための図である。
【図３】図１に示した撮影システムにおけるＩＣモジュールに対する情報の書き込み方法を説明するためのフローチャートである。
【図４】本発明の撮影装置及びこれを用いた撮影システムの第２の実施の形態を示す図である。
【図５】図４に示したアンテナの構造及び制御部とメモリチップとの関係を説明するための図である。
【図６】図４に示した撮影システムにおけるメモリチップに対する情報の書き込み方法を説明するためのフローチャートである。
【図７】本発明の撮影装置及びこれを用いた撮影システムの第３の実施の形態を示す図である。
【図８】図７に示したＩＣラベルの構造を示す図である。
【図９】図７に示した撮影システムにおけるＩＣラベルに対する情報の書き込み方法を説明するためのフローチャートである。
【符号の説明】
１０　　ＩＣモジュール
１１　　インターポーザー
２０，１２０，２２０　　フィルム筐体
３０，１３０　　カメラ
３１，１３１，２３１ａ，２３１ｂ　　アンテナ
３２，１３２　　接点
４０，１４０　　携帯端末
５０，１５０　　リーダ／ライタ
１１０　　メモリチップ
１３３，２３３　　制御部
１３４，２３４　　メモリ
２１０　　ＩＣラベル
２６０　　情報書込端末
【図１】
2004093839.tif 000003
【図２】
2004093839.tif 000004
【図３】
2004093839.tif 000005
【図４】
2004093839.tif 000006
【図５】
2004093839.tif 000007
【図６】
2004093839.tif 000008
【図７】
2004093839.tif 000009
【図８】
2004093839.tif 000010
【図９】
2004093839.tif 000011